(57)【要約】【課題】画像ムラを簡便かつ高精度に補正可能とすることである。【解決手段】異なる複数のシェーディング補正パラメータに基づく補正量により補正された複数領域のベタ画像と、前記シェーディング補正パラメータを表す識別符号とをテストパターンとして医用画像記録手段としての画像出力部１０に記録媒体へ記録させ、前記画像記録されたベタ画像の主走査方向の濃度の差が最も小さくなるシェーディング補正パラメータを補正パラメータ入力部４を介して設定入力し、前記入力されたシェーディング補正パラメータに基づいて、シェーディング補正するためのシェーディング補正テーブルを作成し、当該シェーディング補正テーブルを用いて医用画像に補正を施して画像出力部１０に記録媒体へ画像記録させる。【選択図】図１
2005313361.tif 000002
【特許請求の範囲】
【請求項１】
記録媒体に医用画像を記録する医用画像記録装置において、
前記記録媒体を露光走査して画像を記録する画像記録手段と、
異なる複数のシェーディング補正パラメータに基づく補正量により補正された複数領域のベタ画像と、前記シェーディング補正パラメータを表す識別符号とをテストパターンとして前記画像記録手段に前記記録媒体へ画像記録させるテストパターン記録制御手段と、
前記テストパターン記録制御手段により画像記録されたベタ画像の主走査方向の濃度を測定した結果に基づいて決定された、前記主走査方向のベタ画像の濃度の差が最も小さくなるシェーディング補正パラメータを選択入力する入力手段と、
前記入力手段により入力されたシェーディング補正パラメータに基づいて、シェーディング補正するためのシェーディング補正テーブルを作成するシェーディング補正テーブル作成手段と、
前記シェーディング補正テーブル作成手段により作成されたシェーディング補正テーブルを用いて医用画像にシェーディング補正を施して前記画像記録手段に記録媒体へ画像記録させる医用画像記録制御手段と、
を備えることを特徴とする医用画像記録装置。
【請求項２】
前記テストパターン記録制御手段は、前記画像記録手段に、前記濃度を測定すべき領域を示すための目印を前記記録媒体へ記録させることを特徴とする請求項１に記載の医用画像記録装置。
【請求項３】
前記主走査方向のベタ画像の数は、奇数であることを特徴とする請求項１又は２に記載の医用画像記録装置。
【請求項４】
前記シェーディング補正テーブル作成手段は、前記シェーディング補正パラメータに基づいて、主走査方向に複数の画素ごとの位置を示すサブアドレスに対応する仮のシェーディング補正テーブルを作成し、当該仮のシェーディング補正テーブルのサブアドレスを補間してシェーディング補正テーブルを作成することを特徴とする請求項１から３のいずれか一項に記載の医用画像記録装置。
【請求項５】
記録媒体に医用画像を記録する医用画像記録装置において、
前記記録媒体を露光走査して画像を記録する画像記録手段と
異なる複数のピッチムラ補正パラメータに基づく補正量により補正された複数領域のベタ画像と、前記ピッチムラ補正パラメータを表す識別符号とをテストパターンとして前記画像記録手段に前記記録媒体へ画像記録させるテストパターン記録制御手段と、
前記テストパターン記録制御手段により画像記録されたベタ画像を目視評価した結果に基づいて決定された、ピッチムラが最も小さいピッチムラ補正パラメータを選択入力する入力手段と、
前記入力手段により入力されたピッチムラ補正パラメータに基づいて、ピッチムラ補正するためのピッチムラ補正テーブルを作成するピッチムラ補正テーブル作成手段と、
前記ピッチムラ補正テーブル作成手段により作成されたピッチムラ補正テーブルを用いて医用画像にピッチムラ補正を施して前記画像記録手段に記録媒体へ画像記録させる医用画像記録制御手段と、
を備えることを特徴とする医用画像記録装置。
【請求項６】
前記テストパターン記録制御手段は、前記画像記録手段に、前記目視評価すべき領域を示すための目印を前記記録媒体へ記録させることを特徴とする請求項５に記載の医用画像記録装置。
【請求項７】
記録媒体に医用画像を記録する医用画像記録方法において、
異なる複数のシェーディング補正パラメータに基づく補正量により補正された、記録媒体の複数領域のベタ画像と、前記シェーディング補正パラメータを表す識別符号とをテストパターンとして前記記録媒体へ画像記録する工程と、
前記画像記録されたベタ画像の主走査方向の濃度を測定した結果に基づいて決定された、前記主走査方向のベタ画像の濃度の差が最も小さくなるシェーディング補正パラメータを選択入力する工程と、
前記入力されたシェーディング補正パラメータに基づいて、シェーディング補正するためのシェーディング補正テーブルを作成する工程と、
前記作成されたシェーディング補正テーブルを用いて医用画像にシェーディング補正を施して記録媒体へ画像記録する工程と、
を含むことを特徴とする医用画像記録方法。
【請求項８】
前記テストパターンを記録する工程において、前記濃度を測定すべき領域を示すための目印を前記記録媒体へ記録することを特徴とする請求項７に記載の医用画像記録方法。
【請求項９】
前記主走査方向のベタ画像の数は、奇数であることを特徴とする請求項７又は８に記載の医用画像記録方法。
【請求項１０】
前記シェーディング補正テーブルの作成工程において、前記シェーディング補正パラメータに基づいて、主走査方向に複数の画素ごとの位置を示すサブアドレスに対応する仮のシェーディング補正テーブルを作成し、当該仮のシェーディング補正テーブルのサブアドレスを補間してシェーディング補正テーブルを作成することを特徴とする請求項７から９のいずれか一項に記載の医用画像記録方法。
【請求項１１】
記録媒体に医用画像を記録する医用画像記録方法において、
異なる複数のピッチムラ補正パラメータに基づく補正量により補正された複数領域のベタ画像と、前記ピッチムラ補正パラメータを表す識別符号とをテストパターンとして前記記録媒体へ画像記録する工程と、
前記画像記録されたベタ画像を目視評価した結果に基づいて決定された、ピッチムラが最も小さいピッチムラ補正パラメータを選択入力する工程と、
前記入力されたピッチムラ補正パラメータに基づいて、ピッチムラ補正するためのピッチムラ補正テーブルを作成する工程と、
前記作成されたピッチムラ補正テーブルを用いて医用画像にピッチムラ補正を施して記録媒体へ画像記録する工程と、
を含むことを特徴とする医用画像記録方法。
【請求項１２】
前記テストパターンの記録工程において、前記目視評価すべき領域を示すための目印を前記記録媒体へ記録することを特徴とする請求項１１に記載の医用画像記録方法。
【発明の詳細な説明】
【技術分野】
【０００１】
本発明は、医用画像を記録媒体に記録する医用画像記録装置及び医用画像記録方法に関する。
【背景技術】
【０００２】
近年、銀塩感光材料からなる放射線写真フィルムを使用しないで医用放射線画像情報を得る方法が工夫されるようになった。例えば、輝尽性蛍光体を主体とするイメージングプレートを用い、放射線画像を一旦蓄積後、励起光を用いて輝尽発光光として取り出し、この光を光電変換することによって画像信号を得る放射線画像読取装置（Computed Radiography、以後ＣＲと略す）が普及してきている。
また、最近では放射線蛍光体や放射線光導電体とＴＦＴスイッチング素子などの２次元半導体検出器を組み合わせて放射線画像情報を読み取る装置（Flat Panel Detector、以下ＦＰＤと略す）も提案されている。
【０００３】
これらの医用画像を診断するに際には、透過記録媒体及び反射記録媒体のうちの少なくとも１つに画像情報を記録してハードコピーの形で観察する方法が多く用いられている。医用画像情報を記録媒体に記録する医用画像記録装置としては、銀塩記録材料を用いた透過記録媒体上にレーザ露光することによって画像を記録する方式が良く用いられている。この方式によれば、モノクロ多階調の画像を優れた階調性で描写できるとともに、透過媒体に記録して透過光で観察することによって高い診断能が得られる。
【０００４】
医用画像記録装置に関しても、種々の方式が開発されてきており、従来の湿式処理を必要とする銀塩記録材料を用いる以外に、サーマルヘッドやヒートモードレーザを用いる感熱記録装置、感光性熱現像記録材料や感光感熱記録材料を用いて感光熱発色画像記録を行う装置も知られている。
【０００５】
また、画像表示や画像記録における不具合を検査する方法が考えられている。例えば、ディスプレイシステムにおいて、視覚構成テストパターンからデジタルテスト画像を作成して表示し、デジタルテスト画像を観察することでコントラストの較正を検査する（例えば、特許文献１参照）。
【０００６】
また、熱現像装置において、テストパターンを記憶媒体上に記録し、当該テストパターンの平均濃度を濃度計で測定し、測定結果に基づいて、光学系のずれに起因する鮮鋭性の低下を補正する較正が考えられている（例えば、特許文献２参照）。
【０００７】
また、インクジェットプリンタにおいて、複数のテストパターンを記録媒体に記録し、観察者により最も平滑に見えると選択されたテストパターンに応じて適切なγ補正テーブルが選択され、そのγ補正テーブルを用いて階調補正を行うことで、インクジェットプリンタの製造時の発熱ヒータや吐出口のばらつき、記録媒体の搬送量、記録時間の差によるインク濃度の変化、記録媒体上のインク濃度の変化に起因する画像ムラの発生を補正する構成が考えられている（例えば、特許文献３参照）。
【特許文献１】特開平１１−３２７５０１号公報
【特許文献２】特開２００３−１６２００８号公報
【特許文献３】特開２０００−３０７８６４号公報
【発明の開示】
【発明が解決しようとする課題】
【０００８】
とりわけ医用画像記録装置においては、きわめて高解像度で画像を記録することが好ましい。また、レーザ方式の画像記録装置において、光学系の位置ずれなどに起因して、主走査方向に発生する画像ムラと、副走査方向に発生する周期的ムラ（バンディング）とを修正する必要がある。これらの画像ムラにより画質が低下し、誤診を招くおそれがあるためである。
【０００９】
図２１に、Ｘ軸（主走査方向）に対する露光量のムラの例を示す。画像記録装置において、記録媒体を露光するためのレーザは、回転する回転多面鏡の各面で反射されて、ｆθレンズ及びシリンドリカルレンズを介して記録媒体に露光される。回転多面鏡の各面は、記録媒体上の一走査線に値する。しかし、ｆθレンズの集光位置（記録媒体巾手位置）によって、図２１に示すように、一走査線上に露光量のムラが発生して主走査方向の画像ムラとなる。
【００１０】
図２２に、Ｙ軸（副走査方向）に対する露光量のムラの例を示す。画像記録装置において、レーザを反射させるための回転多面鏡の各面の光反射率のばらつき（個体差）や、各面の面倒れによる周期的ばらつきにより、回転多面鏡の全面数を１周期とする副走査方向に対して主走査方向の筋ムラが発生して副走査方向の画像ムラとなる。図２２においては、ベタ画像の記録において、回転多面鏡の全面数を６とし、全ラスタ中の２つのラスタＡ，Ｂに筋ムラが発生する場合を示す。
【００１１】
しかし、特許文献１に記載の構成においては、コントラストの較正結果を検査するものである。このため、例えば、観察者が検査結果に基づいてコントラストの調整作業を行わなくてはならず、作業負担が軽減されないおそれがあった。
【００１２】
また、特許文献２に記載の構成においては、レーザ方式の画像記録装置における光学系の位置ずれに起因する画像ムラを検出する構成であるが、光学系のずれを検査する構成であるため、例えば、観察者が光学系のずれの旨を業者などに連絡せねばならず、補正して画像記録することができなかった。加えて、近年の医用画像記録は、副走査に係る記録ピッチが極めて小さく、濃度測定が極めて困難であり、特許文献２に記載の構成のように、マイクロデンシトメータの如き特殊な光学濃度計を用いて測定すると、測定負担が大きいという問題があった。
【００１３】
また、特許文献３に記載の構成においては、選択されたテストパターンに基づいて、補正用のγテーブルを選択して当該γテーブルにより画像補正する構成であるが、依然、画像ムラを簡便かつ高精度に補正する要請がある。
【００１４】
本発明の課題は、画像ムラを簡便かつ高精度に補正可能とすることである。
【課題を解決するための手段】
【００１５】
上記の課題を解決するために、請求項１に記載の発明は、記録媒体に医用画像を記録する医用画像記録装置において、
前記記録媒体を露光走査して画像を記録する画像記録手段と、
異なる複数のシェーディング補正パラメータに基づく補正量により補正された複数領域のベタ画像と、前記シェーディング補正パラメータを表す識別符号とをテストパターンとして前記画像記録手段に前記記録媒体へ画像記録させるテストパターン記録制御手段と、
前記テストパターン記録制御手段により画像記録されたベタ画像の主走査方向の濃度を測定した結果に基づいて決定された、前記主走査方向のベタ画像の濃度の差が最も小さくなるシェーディング補正パラメータを選択入力する入力手段と、
前記入力手段により入力されたシェーディング補正パラメータに基づいて、シェーディング補正するためのシェーディング補正テーブルを作成するシェーディング補正テーブル作成手段と、
前記シェーディング補正テーブル作成手段により作成されたシェーディング補正テーブルを用いて医用画像にシェーディング補正を施して前記画像記録手段に記録媒体へ画像記録させる医用画像記録制御手段と、
を備えることを特徴とする。
【００１６】
請求項７に記載の発明は、記録媒体に医用画像を記録する医用画像記録方法において、
異なる複数のシェーディング補正パラメータに基づく補正量により補正された、記録媒体の複数領域のベタ画像と、前記シェーディング補正パラメータを表す識別符号とをテストパターンとして前記記録媒体へ画像記録する工程と、
前記画像記録されたベタ画像の主走査方向の濃度を測定した結果に基づいて決定された、前記主走査方向のベタ画像の濃度の差が最も小さくなるシェーディング補正パラメータを選択入力する工程と、
前記入力されたシェーディング補正パラメータに基づいて、シェーディング補正するためのシェーディング補正テーブルを作成する工程と、
前記作成されたシェーディング補正テーブルを用いて医用画像にシェーディング補正を施して記録媒体へ画像記録する工程と、
を含むことを特徴とする。
【００１７】
請求項１又は７に記載の発明によれば、ユーザがテストパターンを目視して容易に最適なシェーディング補正パラメータを選択入力でき、当該最適なシェーディング補正パラメータに基づいてシェーディング補正テーブルを自動的に作成及び記憶するので、ユーザの簡便な操作入力により作成される最適なシェーディング補正テーブルを用いて医用画像を高精度にシェーディング補正して記録媒体に画像記録することができる。
【００１８】
請求項２に記載の発明は、請求項１に記載の医用画像記録装置において、
前記テストパターン記録制御手段は、前記画像記録手段に、前記濃度を測定すべき領域を示すための目印を前記記録媒体へ記録させることを特徴とする。
【００１９】
請求項８に記載の発明は、請求項７に記載の医用画像記録方法において、
前記テストパターンを記録する工程において、前記濃度を測定すべき領域を示すための目印を前記記録媒体へ記録することを特徴とする。
【００２０】
請求項２又は８に記載の発明によれば、記録媒体に濃度を測定すべき領域を示す目印が記録されるので、目印に基づいて最適な領域の補正パラメータをユーザが容易に選択でき、最適な補正パラメータの選択入力により、シェーディング補正の補正精度をより向上することができる。
【００２１】
請求項３に記載の発明は、請求項１又は２に記載の医用画像記録装置において、
前記主走査方向のベタ画像の数は、奇数であることを特徴とする。
【００２２】
請求項９に記載の発明は、請求項７又は８に記載の医用画像記録方法において、
前記主走査方向のベタ画像の数は、奇数であることを特徴とする。
【００２３】
請求項３又は９に記載の発明によれば、テストパターンが主走査方向に奇数のベタ画像を含むので、補正量の最も少ない中央領域を基準として、ユーザがより容易且つ高精度に最適な補正パラメータを選択できる。
【００２４】
請求項４に記載の発明は、請求項１から３のいずれか一項に記載の医用画像記録装置において、
前記シェーディング補正テーブル作成手段は、前記シェーディング補正パラメータに基づいて、主走査方向に複数の画素ごとの位置を示すサブアドレスに対応する仮のシェーディング補正テーブルを作成し、当該仮のシェーディング補正テーブルのサブアドレスを補間してシェーディング補正テーブルを作成することを特徴とする。
【００２５】
請求項１０に記載の発明は、請求項７から９のいずれか一項に記載の医用画像記録方法において、
前記シェーディング補正テーブルの作成工程において、前記シェーディング補正パラメータに基づいて、主走査方向に複数の画素ごとの位置を示すサブアドレスに対応する仮のシェーディング補正テーブルを作成し、当該仮のシェーディング補正テーブルのサブアドレスを補間してシェーディング補正テーブルを作成することを特徴とする。
【００２６】
請求項４又は１０に記載の発明によれば、先ず、主走査方向の所定画素数ごとのサブアドレスに対応するシェーディング補正テーブルを作成し、サブアドレスに対応するシェーディング補正テーブルを補間してシェーディング補正テーブルを作成するので、サブアドレスの周期性を利用してシェーディング補正テーブルの作成を高速に行うことができる。
【００２７】
請求項５に記載の発明は、記録媒体に医用画像を記録する医用画像記録装置において、
前記記録媒体を露光走査して画像を記録する画像記録手段と
異なる複数のピッチムラ補正パラメータに基づく補正量により補正された複数領域のベタ画像と、前記ピッチムラ補正パラメータを表す識別符号とをテストパターンとして前記画像記録手段に前記記録媒体へ画像記録させるテストパターン記録制御手段と、
前記テストパターン記録制御手段により画像記録されたベタ画像を目視評価した結果に基づいて決定された、ピッチムラが最も小さいピッチムラ補正パラメータを選択入力する入力手段と、
前記入力手段により入力されたピッチムラ補正パラメータに基づいて、ピッチムラ補正するためのピッチムラ補正テーブルを作成するピッチムラ補正テーブル作成手段と、
前記ピッチムラ補正テーブル作成手段により作成されたピッチムラ補正テーブルを用いて医用画像にピッチムラ補正を施して前記画像記録手段に記録媒体へ画像記録させる医用画像記録制御手段と、
を備えることを特徴とする。
【００２８】
請求項１１に記載の発明は、記録媒体に医用画像を記録する医用画像記録方法において、
異なる複数のピッチムラ補正パラメータに基づく補正量により補正された複数領域のベタ画像と、前記ピッチムラ補正パラメータを表す識別符号とをテストパターンとして前記記録媒体へ画像記録する工程と、
前記画像記録されたベタ画像を目視評価した結果に基づいて決定された、ピッチムラが最も小さいピッチムラ補正パラメータを選択入力する工程と、
前記入力されたピッチムラ補正パラメータに基づいて、ピッチムラ補正するためのピッチムラ補正テーブルを作成する工程と、
前記作成されたピッチムラ補正テーブルを用いて医用画像にピッチムラ補正を施して記録媒体へ画像記録する工程と、
を含むことを特徴とする。
【００２９】
請求項５又は１１に記載の発明によれば、ユーザがテストパターンを目視して容易に最適なピッチムラ補正パラメータを選択入力でき、当該最適なピッチムラ補正パラメータに基づいて最適なピッチムラ補正テーブルを自動的に作成及び記憶するので、ユーザの簡便な操作入力により最適なピッチムラ補正テーブルを用いて医用画像を高精度にピッチムラ補正して記録媒体に画像記録することができる。
【００３０】
請求項６に記載の発明は、請求項５に記載の医用画像記録装置において、
前記テストパターン記録制御手段は、前記画像記録手段に、前記目視評価すべき領域を示すための目印を前記記録媒体へ記録させることを特徴とする。
【００３１】
請求項１２に記載の発明は、請求項１１に記載の医用画像記録方法において、
前記テストパターンの記録工程において、前記目視評価すべき領域を示すための目印を前記記録媒体へ記録することを特徴とする。
【００３２】
請求項６又は１２に記載の発明によれば、記録媒体に目視評価すべき領域を示す目印が記録されるので、目印に基づいて最適な領域の補正パラメータをユーザが容易に選択でき、ピッチムラ補正の補正精度をより向上することができる。
【発明の効果】
【００３３】
請求項１又は７に記載の発明によれば、ユーザがテストパターンを目視して容易に最適なシェーディング補正パラメータを選択入力でき、当該最適なシェーディング補正パラメータに基づいてシェーディング補正テーブルを自動的に作成及び記憶するので、ユーザの簡便な操作入力により作成される最適なシェーディング補正テーブルを用いて医用画像を高精度にシェーディング補正して記録媒体に画像記録することができる。
【００３４】
請求項２又は８に記載の発明によれば、記録媒体に濃度を測定すべき領域を示す目印が記録されるので、目印に基づいて最適な領域の補正パラメータをユーザが容易に選択でき、最適な補正パラメータの選択入力により、シェーディング補正の補正精度をより向上することができる。
【００３５】
請求項３又は９に記載の発明によれば、テストパターンが主走査方向に奇数のベタ画像を含むので、補正量の最も少ない中央領域を基準として、ユーザがより容易且つ高精度に最適な補正パラメータを選択できる。
【００３６】
請求項４又は１０に記載の発明によれば、先ず、主走査方向の所定画素数ごとのサブアドレスに対応するシェーディング補正テーブルを作成し、サブアドレスに対応するシェーディング補正テーブルを補間してシェーディング補正テーブルを作成するので、サブアドレスの周期性を利用してシェーディング補正テーブルの作成を高速に行うことができる。
【００３７】
請求項５又は１１に記載の発明によれば、ユーザがテストパターンを目視して容易に最適なピッチムラ補正パラメータを選択入力でき、当該最適なピッチムラ補正パラメータに基づいて最適なピッチムラ補正テーブルを自動的に作成及び記憶するので、ユーザの簡便な操作入力により最適なピッチムラ補正テーブルを用いて医用画像を高精度にピッチムラ補正して記録媒体に画像記録することができる。
【００３８】
請求項６又は１２に記載の発明によれば、記録媒体に目視評価すべき領域を示す目印が記録されるので、目印に基づいて最適な領域の補正パラメータをユーザが容易に選択でき、ピッチムラ補正の補正精度をより向上することができる。
【発明を実施するための最良の形態】
【００３９】
以下、図を参照して本発明の実施の第１及び第２の実施の形態とその変形例とを順に詳細に説明する。ただし、発明の範囲は、図示例に限定されない。
【００４０】
（第１の実施の形態）
図１〜図１０を参照して、本発明に係る第１の実施の形態を説明する。本実施の形態においては、記録媒体の主走査方向の画像ムラを補正するシェーディング補正を行う。先ず、図１及び図２を参照して、本実施の形態の装置構成を説明する。図１に、本実施の形態の医用画像記録装置１の内部構成を示す。図２に、露光部１３の内部構成を示す。
【００４１】
図１に示すように、本実施の形態の医用画像記録装置１は、Ｉ／Ｆ（インタフェース）２と、制御部３と、補正パラメータ入力部４と、補正テーブル算出部５と、データ記憶部６と、フィルム搬送部７と、画像出力部１０と、を備えて構成される。また、画像出力部１０は、画像処理部１１と、Ｄ／Ａ変換部１２と、露光部１３と、熱現像部１４と、を有する。
【００４２】
Ｉ／Ｆ２は、医用画像記録装置１とモダリティ２０とを通信接続する。モダリティ２０は、患者の患部の医用画像を撮影又は読み取りデジタルの画像データを出力する装置であり、例えば、ＣＲ装置、ＣＴ（Computerized Tomography：コンピュータ断層撮影）装置、ＭＲＩ（Magnetic Resonance Imaging：核磁気共鳴映像）装置などである。モダリティ２０から出力されるデジタルの画像データは、Ｉ／Ｆ２を介して医用画像記録装置１に入力される。また、Ｉ／Ｆ２は、画像データが入力されたことをトリガとして、制御部３に画像出力指示を入力する。
【００４３】
制御部３は、ＣＰＵ、ＲＡＭ及びＲＯＭを含み、医用画像記録装置１内の各部を制御する。制御部３は、Ｉ／Ｆ２からの画像出力指示に基づいて画像出力部１０に画像出力指示を入力する。補正パラメータ入力部４は、各種操作キーなどを備えて、ユーザからの補正パラメータの選択入力を受け付けて制御部３に出力する。補正テーブル算出部５は、制御部３の指示により補正テーブルを算出して制御部３に出力する。データ記憶部６は、補正テーブル算出部５により算出された補正テーブルを記憶し、制御部３の指示により補正テーブルを画像処理部１１に出力する。フィルム搬送部７は、搬送ローラ７１などを備え、制御部３の指示により医用画像の記録媒体としてのフィルムＦを搬送する。
【００４４】
画像処理部１１は、制御部３の指示により、Ｉ／Ｆ２を介して医用画像記録装置１に入力される画像データに各種処理を施し、データ記憶部６から読み出された補正テーブルを用いて画像データを補正処理する。Ｄ／Ａ変換部１２は、制御部３の指示により、画像処理部１１から入力された画像処理後のデジタルの画像データをアナログ信号に変換する。露光部１３は、制御部３の指示により、Ｄ／Ａ変換部１２から入力された画像処理後のアナログの画像データを用いて、フィルム搬送部７の搬送ローラ７１により搬送されるフィルムＦにレーザの照射により医用画像の潜像を結像する。熱現像部１４は、制御部３の指示により、加熱可能な回転ローラを備え、露光部１３により露光されたフィルムＦを、加熱された回転ローラの外周上に密着させてフィルムＦを加熱することにより、フィルムＦ上の潜像を可視化して医用画像を現像する。
【００４５】
ここで、図２を参照して、露光部１３を詳細に説明する。図２に示すように、露光部１３は、変調部１３１と、レーザ光源部１３２と、集光レンズ１３３と、シリンドリカルレンズ１３４と、回転多面鏡１３５と、ｆθレンズ１３６と、ミラー１３７と、を備えて構成される。
【００４６】
変調部１３１は、Ｄ／Ａ変換部１２から入力された画像データのアナログ信号に基づいて、レーザ光Ｌの強度変調を行い発光強度制御信号を生成する。レーザ光源部１３２は、変調部１３１から入力された発光強度制御信号に基づいて、レーザ光Ｌを発光する。集光レンズ１３３は、レーザ光Ｌの通過によりレーザ光Ｌを平行化する。シリンドリカルレンズ１３４は、レーザ光Ｌの通過によりレーザ光Ｌを一方向に収束する。つまり、シリンドリカルレンズ１３４は、レーザ光Ｌを回転多面鏡１３５の各面に主走査方向に結像する。
【００４７】
回転多面鏡１３５は、６の鏡面を有し、軸中心に回転方向Ａに回転して、レーザ光Ｌを各面で反射する。本実施の形態において鏡面の数を６とするが、その他の数としてもよい。回転多面鏡１３５の各面は、反射されたレーザ光Ｌが出射される仮想光源とみなすことができる。ｆθレンズ１３６は、レーザ光Ｌの通過により回転多面鏡１３５の各面で反射されたレーザ光Ｌの走査速度補正をする。つまり、仮想光源としての回転多面鏡１３５の各面からフィルムＦの記録面までの距離が、回転多面鏡１３５の向きによって異なり、その距離の変化による主走査速度への影響が補正される。また、ｆθレンズ１３６は、回転多面鏡１３５の各面で反射されたレーザ光Ｌをミラー１３７上に主走査方向に結像する機能も有する。ミラー１３７は、ｆθレンズ１３６を通過したレーザ光Ｌを反射してフィルムＦの記録面に照射する。
【００４８】
回転多面鏡１３５の１面が１走査に対応する。ｆθレンズ１３６から出射されたレーザ光Ｌの集光位置によって、フィルムＦに照射される光量差が主走査方向（Ｘ軸方向）に発生して主走査方向に画像ムラが発生する。つまり、図２１に示すように、フィルムＦの主走査方向の中央部の露光量が多いため記録画像も濃くなり、端部に向かって露光量が少なくなるため記録画像も薄くなる。
【００４９】
図３に、シェーディング補正に用いるシェーディング補正テーブルの一例を示す。図３に示すシェーディング補正テーブルのように、Ｘ軸方向に、フィルムＦの中央部の露光量（濃度）の補正量が小さくなり、端部にいくに従って大きくなる補正が必要となる。
【００５０】
次に、図４〜図１０を参照して、医用画像記録装置１の動作を説明する。図４を参照して、シェーディング補正のための最適な補正パラメータを選択するためのテストパターンをフィルムＦに記録する第１のテストパターン記録処理を説明する。図４に、第１のテストパターン記録処理を示す。例えば、補正パラメータ入力部４を介してテストパターン記録指示が入力されたことをトリガとして、制御部３内のＲＯＭに記憶された第１のテストパターン記録プログラムが読み出されて制御部３内のＲＡＭに適宜展開されて、制御部３内のＣＰＵと第１のテストパターン記録プログラムとの協働により第１のテストパターン記録処理が実行される。
【００５１】
先ず、データ記憶部６に記憶された、補正パラメータと、露光量の補正量との関係のグラフに基づいてシェーディング補正のテストパターンが作成される（ステップＳ１１）。ここで、図５及び図６を参照して、ステップＳ１１のテストパターンの作成を詳述する。図５に、補正パラメータに対する補正量の関係の一例を示す。図６に、シェーディング補正のテストパターンの出力例を示す。
【００５２】
主走査方向の画像ムラに対するシェーディング補正において、複数の補正パラメータを有する分割領域からなるテストパターンを作成する。観察者がテストパターン中の各補正パラメータの分割領域を観察し、画像ムラがない最適な分割領域の補正パラメータを観察者が選択する。この選択された最適な補正パラメータを用いて、最適なシェーディング補正テーブルを生成するためである。
【００５３】
例えば、補正量が０の場合を基準（０）とした場合の補正パラメータを、図５に示すように作成する。補正パラメータは、−７〜０〜＋７までの１５点に対応する露光量の補正量（％）のパターンである。図５の関係によれば、補正パラメータが大きくなるほど補正量が増加され、補正パラメータが０の場合に補正量が０となり、補正パラメータが正の値の場合に補正量も正の値となり、補正パラメータが負の値の場合に補正量も負の値となっている。つまり、補正パラメータが正の値でかつ大きくなるほど露光量が増加するように画像データが補正され、画像の出力濃度も高くなる。また、補正パラメータが０の場合に補正がなされず、画像の出力濃度は変化しない。また、補正パラメータが負の値でかつ小さくなればなるほど露光量が減少するように画像データが補正され、画像の出力濃度も低くなる。
【００５４】
そして、図６に示すように、テストパターン３０は、フィルムＦの記録面が主走査方向に３等分されて、中央領域、右領域及び左領域に区切られ、副走査方向に補正パラメータの個数で等分割される。このようにして、３×１５の分割領域３１が形成される。中央領域の分割領域３１に、補正パラメータ０が対応付けられる。そして、左領域及び右領域の分割領域３１に、上から下へ補正パラメータの高い値から低い値へ順に対応付けられる。
【００５５】
分割領域３１内は、一色の濃度のベタ塗り画像が、それぞれの補正パラメータに対応する補正量で補正された濃度となり、略均一濃度画像となる。また、分割領域３１内に補正パラメータ（の値）３２が入れられる。さらに、分割領域３１は、濃度の観察領域を示す目印としての枠３３で区切られる。観察者は、フィルムＦに記憶されたテストパターン３０を参照して、主走査方向に画像ムラのない濃度が最も平滑な分割領域３１を目視により判別することが可能となる。
【００５６】
そして、ステップＳ１１において作成されたテストパターンが画像処理部１１に入力され、画像出力部１０によりフィルムＦに画像記録され（ステップＳ１２）、第１のテストパターン記録処理が終了される。
【００５７】
次いで、図７を参照して、シェーディング補正に使用するシェーディング補正テーブルを作成及び記憶するシェーディング補正テーブル記憶処理を説明する。図７に、シェーディング補正テーブル記憶処理を示す。例えば、補正パラメータ入力部４を介してシェーディング補正テーブル作成指示が入力されたことをトリガとして、制御部３内のＲＯＭに記憶されたシェーディング補正テーブル記憶プログラムが読み出されて制御部３内のＲＡＭに展開されて、制御部３内のＣＰＵとシェーディング補正テーブル記憶プログラムとの協働によりシェーディング補正テーブル記憶処理が実行される。
【００５８】
先ず、補正テーブル算出部５により、主走査方向のアドレスと、サブアドレスとが算出される（ステップＳ２１）。ここで、図８を参照して、フィルムＦ上に記録する画素のアドレス及びサブアドレスを説明する。図８に、フィルムＦ上に記録する画素のサブアドレスを示し、（ａ）にフィルムＦ上に記録するサブアドレスごとの画素を示し、（ｂ）に画素のアドレスとサブアドレスとの対応を示す。
【００５９】
フィルムＦの主走査（Ｘ軸）方向の１走査線上に複数の画素が記録される。この全画素のＸ軸方向の通番を画素のアドレスとする。アドレスは、周期的なものとしてもよい。そして、図８（ｂ）に示すように、例えば、Ｘ軸に画素２５６個ごとに＋１されるサブアドレスを設定する。すると、図８（ａ）に示すように、Ｘ軸方向にサブアドレスの画素が算出される。
【００６０】
そして、ユーザは、第１のテストパターン記録処理により記録されたテストパターン３０の記録されたフィルムＦを参照して、目視により最も平滑な濃度の分割領域３１の補正パラメータ３２を選択する。そして、ユーザにより選択入力される、最も平滑な濃度の補正パラメータが補正パラメータ入力部４を介して受け付けられる（ステップＳ２２）。
【００６１】
そして、補正テーブル算出部５により、ステップＳ２２において入力された補正パラメータに基づいて、サブアドレスの補正量が算出され、アドレスの補正量が算出される（ステップＳ２３）。ここで、図９を参照して、サブアドレス、アドレスの補正量算出を説明する。図９は、Ｘ軸に対する補正量の関係を示し、（ａ）に補正パラメータに対応する補正量を示し、（ｂ）にサブアドレスに対応する補正量を示し、（ｃ）にアドレスに対応する補正量を示す。
【００６２】
例えば、ステップＳ２２において、最適な補正パラメータとして＋４が入力された場合を考える。先ず、図５のグラフにおける補正パラメータ＋４の補正量と、図６の左領域及び右領域のＸ軸位置とから、図９（ａ）に示すように、点４１，４２がプロットされ、さらに、図５のグラフにおける中央領域のＸ軸位置の補正パラメータ０の補正量（＝０）から、点４３がプロットされる。
【００６３】
そして、図９（ｂ）に示すように、点４１，４２，４３の間の点を補間するように、ステップＳ２１において算出されたサブアドレスにおける補正量が算出されてプロットされる。そして、図９（ｃ）に示すように、サブアドレスにおける補正量の点を補完するように、１画素づつのアドレスにおける補正量が算出されてプロットされ、シェーディング補正テーブルが完成される。
【００６４】
ここで、図１０を参照して、サブアドレスにおける補正量の算出の高速化について説明する。図１０は、アドレス及びサブアドレスの対応関係の一例を示す。図１０に示すように、アドレスは、主走査方向に沿って、１０進数において０から２５５までを周期的に繰り返す。同様に、アドレスは１６進数で０からＦＦまでを周期的に繰り返す。また、アドレスに対応して、サブアドレスは、アドレスの２５６ごとに、１０進数で０から＋１ずつされていく。同様に、サブアドレスは１６進数で０から＋１ずつされていく。
【００６５】
ここで、アドレスが通算で５０００番目の点を考える。１０進数の５０００は、１６進数で１３８８となる。つまり、１６進数の上位２桁が１３（１０進数では１９）となり、下位２桁が８８（１０進数では１３６）となる。サブアドレスの１つに相当する画素数（アドレス数）が常に２５６で一定であるので、アドレスの１６進数の上位２桁を１０進数に変換したものは、サブアドレスの１０進数に対応し、アドレスの１６進数の下位２桁を１０進数に変換したものは、アドレスの１０進数に対応する。
【００６６】
通算アドレスのＮ番目の補正量をＥ［Ｎ］と表現すると、上記アドレスとサブアドレスの関係を用いて、
Ｅ［５０００］＝（（２５６−１３６）×Ｅ［１９（サブアドレス）］＋１３６×Ｅ［２０（サブアドレス）］）／２５６
のように、直線補間できる。つまり、図９（ｂ）に示すようにサブアドレスの補正値の計算後、アドレスの補正量の計算を容易且つ高速に行うことができ、また容易に省メモリ化を図ることができる。
【００６７】
そして、ステップＳ２３において算出された補正量によるシェーディング補正テーブルがデータ記憶部６に記憶され（ステップＳ２４）、シェーディング補正テーブル記憶処理が終了される。
【００６８】
シェーディング補正テーブル記憶処理の終了後、データ記憶部６に記憶されたシェーディング補正テーブルは、医用画像記録装置１における医用画像出力の際に読み出されて、画像処理部１１において、シェーディング補正テーブルを用いて、Ｉ／Ｆ２から入力された画像データにシェーディング補正が施され、画像出力部１０により、シェーディング補正された画像データがフィルムＦに記録されて画像出力される。
【００６９】
以上、本実施の形態によれば、ユーザがテストパターンを目視して容易に最適な補正パラメータを選択入力でき、当該最適な補正パラメータに基づいてシェーディング補正テーブルを自動的に作成及び記憶するので、ユーザの簡便な操作入力により作成された最適なシェーディング補正テーブルを用いて医用画像を高精度にシェーディング補正してフィルムＦに画像記録することができる。
【００７０】
また、フィルムＦ上のテストパターン３０に分割領域３１を区切る枠３３が記録されるので、枠３３で区切られた最適な分割領域の補正パラメータをユーザが容易に選択でき、シェーディング補正の補正精度をより向上することができる。
【００７１】
また、テストパターンが主走査方向に３つの分割領域に区切られるので、補正量の最も少ない中央領域を基準として、ユーザがより容易且つ高精度に最適な補正パラメータを選択できる。
【００７２】
また、先ず、主走査方向の所定画素数ごとのサブアドレスに対応するシェーディング補正テーブルを作成し、サブアドレスに対応するシェーディング補正テーブルを補間してアドレスに対応するシェーディング補正テーブルを作成するので、サブアドレスの周期性を利用してシェーディング補正テーブルの作成を高速に行うことができる。
【００７３】
（第２の実施の形態）
図１１〜図１９を参照して、本発明に係る第２の実施の形態を説明する。本実施の形態の装置構成は、第１の実施の形態と同様であるので、重複を避けるため説明を省略する。
【００７４】
医用画像記録装置１において、露光部１３の回転多面鏡１３５の鏡面に光反射率のばらつきや面倒れなどが発生している場合、図２２に示すように、フィルムＦの副走査方向（Ｙ軸方向）に、光反射率のばらつきや面倒れの面に対応する露光量にばらつきが生じ、Ｙ軸方向におけるＸ軸方向の筋ムラの原因となる。この筋ムラをピッチムラ補正する。
【００７５】
図１１に示すように、Ｙ軸アドレスを定義する。図１１に、Ｙ軸アドレスを示す。フィルムＦ上に、各走査線に対応する位置を示すラスタがあり、各走査線に対応して回転多面鏡１３５が６つの面を有するので、Ｙ軸アドレスは、各ラスタごとに０〜５までの値が周期的に現れることとなる。つまり、筋ムラが周期的に現れるので、露光量の補正量も周期的となる補正関数を用いることが好ましい。
【００７６】
図１２に、ピッチムラ補正に用いるピッチムラ補正テーブルの一例を示す。本実施の形態においては、例えば、図１２に示すように、Ｙ軸に対して補正量が周期的となる関数としての正弦波をピッチムラ補正テーブルとして用いる。
【００７７】
次に、図１３〜図１９を参照して、医用画像記録装置１の動作を説明する。図１３を参照して、ピッチムラ補正のための最適な補正パラメータを選択するためのテストパターンをフィルムＦに記録する第２のテストパターン記録処理を説明する。図１３に、第２のテストパターン記録処理を示す。例えば、補正パラメータ入力部４を介してテストパターン記録指示が入力されたことをトリガとして、制御部３内のＲＯＭに記憶された第２のテストパターン記録プログラムが読み出されて制御部３内のＲＡＭに適宜展開されて、制御部３内のＣＰＵと第２のテストパターン記録プログラムとの協働により第２のテストパターン記録処理が実行される。
【００７８】
先ず、データ記憶部６に記憶された、位相補正パラメータと、位相との関係のグラフに基づいて補正関数が用意され、各補正関数を用いて位相のテストパターンが作成される（ステップＳ３１）。ここで、図１４及び図１５を参照して、ステップＳ３１の位相のテストパターンの作成を詳述する。図１４に、位相補正パラメータに対する位相の関係の一例を示す。図１５に、ピッチムラ補正のテストパターンの出力例を示す。
【００７９】
副走査方向の画像ムラに対するピッチムラ補正において、複数の位相補正パラメータを有する分割領域からなるテストパターンを作成する。観察者がテストパターン中の各位相補正パラメータの分割領域を観察し、画像ムラがない最適な分割領域の位相補正パラメータを観察者が選択する。この選択された最適な位相補正パラメータを用いて、最適なピッチムラ補正テーブルを生成するためである。
【００８０】
例えば、位相（ｒａｄ）が０の場合を基準（位相のずれなし）とした場合の位相補正パラメータを、図１４に示すように作成する。位相補正パラメータは、−７〜０〜＋７までの１５点に対応する位相のパターンである。図１４の関係によれば、位相補正パラメータが大きくなるほど位相が増加され、位相補正パラメータが０の場合に位相が０となり、位相補正パラメータが正の値の場合に位相も正の値となり、位相補正パラメータが負の値の場合に位相も負の値となっている。つまり、位相補正パラメータが正の値でかつ大きくなるほど位相のずれが増加するように画像データが補正される。また、位相補正パラメータが０の場合に位相のずれが０となる。また、位相補正パラメータが負の値でかつ小さくなればなるほど位相のずれが増加するように画像データが補正される。
【００８１】
そして、図１５に示すように、テストパターン５０は、フィルムＦの記録面が副走査方向に位相補正パラメータの個数として１５等分されて、かつ中央領域、右領域及び左領域に区切られる。このようにして、３×１５の分割領域５１が形成される。分割領域５１に、下から上へ位相補正パラメータの高い値から低い値へ順に対応付けられる。
【００８２】
分割領域５１内は、１色の濃度のベタ塗り画像が、それぞれの位相補正パラメータに対応する補正関数で補正された濃度となり、略均一濃度画像となる。また、分割領域５１内に位相補正パラメータ（の値）５２が入れられる。さらに、分割領域５１は、濃度の観察領域を示す目印としての枠５３で区切られる。観察者は、フィルムＦに記録されたテストパターン５０を参照して、副走査方向に画像ムラのない濃度が最も平滑な分割領域５１を目視により判別することが可能となる。
【００８３】
図１６を参照して、位相補正パラメータと補正関数との関係を説明する。位相補正パラメータに対応する補正関数は、振幅が固定され、補正対象の位相が変化される。図１６に、位相補正パラメータごとの補正関数を示し、（ａ）に位相補正パラメータ０の補正関数を示し、（ｂ）に位相補正パラメータ−１の補正関数を示し、（ｃ）に位相補正パラメータ−２の補正関数を示す。図１６（ａ）に示すように、位相が０で補正量が０となる正弦波の補正関数に対応する位相補正パラメータを０とする。補正関数上の点は、副走査方向の各走査線のラスタを示す。
【００８４】
すると、図１６（ｂ）に示すように、図１６（ａ）の補正関数の位相を負にずらした補正関数の位相補正パラメータを−１とし、図１６（ｃ）に示すように、図１６（ｂ）の補正関数の位相をさらに負にずらした補正関数の位相補正パラメータを−２とする。このようにして、位相補正パラメータが−７〜０〜＋７の補正関数が用意される。この各補正関数を用いてベタ画像が補正されてテストパターン５０の各分割領域５１に対応付けられる。
【００８５】
そして、データ記憶部６に記憶された、振幅補正パラメータと、補正量との関係のグラフに基づいて振幅のテストパターンが作成される（ステップＳ３２）。ここで、図１７を参照して、ステップＳ３２の振幅のテストパターンの作成を詳述する。図１７に、振幅補正パラメータに対する補正量の関係の一例を示す。
【００８６】
ピッチムラ補正において、複数の振幅補正パラメータを有する分割領域からなるテストパターンを作成する。観察者がテストパターン中の各振幅補正パラメータの分割領域を観察し、画像ムラがない最適な分割領域の振幅補正パラメータを観察者が選択する。この選択された最適な振幅補正パラメータを用いて、最適なピッチムラ補正テーブルを生成するためである。
【００８７】
例えば、補正量（％）が０の場合を基準（０）とした場合の振幅補正パラメータを、図１７に示すように作成する。振幅補正パラメータは、−７〜０〜＋７までの１５点に対応する露光量の補正量の識別パラメータである。図１７の関係によれば、振幅補正パラメータが大きくなるほど補正量が増加され、振幅補正パラメータが０の場合に補正量が０となり、振幅補正パラメータが正の値の場合に補正量も正の値となり、振幅補正パラメータが負の値の場合に補正量も負の値となっている。つまり、振幅補正パラメータが正の値でかつ大きくなるほど補正量が増加するように画像データが補正され、出力濃度が高くなる。また、振幅補正パラメータが０の場合に補正量が０となる。また、振幅補正パラメータが負の値でかつ小さくなればなるほど補正量が減少するように画像データが補正され、出力濃度が低くなる。
【００８８】
そして、図示しないが、図１５に示すテストパターン５０と同様に、テストパターン６０は、フィルムＦの記録面が副走査方向に振幅補正パラメータの個数として１５等分され、かつ中央領域、右領域及び左領域に区切られる。このようにして、３×１５の分割領域６１が形成される。分割領域６１に、下から上へ振幅補正パラメータの高い値から低い値へ順に対応付けられる。
【００８９】
分割領域６１内は、１色の濃度のベタ塗り画像が、それぞれの振幅補正パラメータに対応する補正関数で補正された濃度となり、略均一濃度画像となる。また、分割領域６１内に振幅補正パラメータ（の値）６２が入れられる。さらに、分割領域６１は、濃度の観察領域を示す目印としての枠６３で区切られる。観察者は、フィルムＦに記憶されたテストパターン６０を参照して、副走査方向に画像ムラのない濃度が最も平滑な分割領域６１を目視により判別することが可能となる。
【００９０】
図１８を参照して、振幅補正パラメータと補正関数との関係を説明する。振幅補正パラメータに対応する補正関数は、位相が固定され、補正対象の振幅が変化される。図１８に、振幅補正パラメータごとの補正関数を示し、（ａ）に振幅補正パラメータ０の補正関数を示し、（ｂ）に振幅補正パラメータ＋１の補正関数を示し、（ｃ）に振幅補正パラメータ＋２の補正関数を示す。図１８（ａ）に示すように、Ｙ軸の値が０で補正量が０となる正弦波の補正関数に対応する振幅補正パラメータを０とする。補正関数上の点は、副走査方向の各走査線のラスタを示す。
【００９１】
すると、図１８（ｂ）に示すように、図１８（ａ）の補正関数の振幅を増加した補正関数の振幅補正パラメータを＋１とし、図１８（ｃ）に示すように、図１８（ｂ）の補正関数の振幅をさらに正に増加した補正関数の振幅補正パラメータを＋２とする。このようにして、振幅補正パラメータが−７〜０〜＋７の補正関数が用意される。この各補正関数を用いてベタ画像が補正されてテストパターン６０の各分割領域６１に対応付けられる。
【００９２】
そして、ステップＳ３１及びＳ３２において作成された位相及び振幅の２つのテストパターンが画像処理部１１に入力され、画像出力部１０によりフィルムＦに画像記録され（ステップＳ３３）、第２のテストパターン記録処理が終了される。
【００９３】
次いで、図１９を参照して、ピッチムラ補正に使用するピッチムラ補正テーブルを作成及び記憶するピッチムラ補正テーブル記憶処理を説明する。図１９に、ピッチムラ補正テーブル記憶処理を示す。例えば、補正パラメータ入力部４を介してピッチムラ補正テーブル作成指示が入力されたことをトリガとして、制御部３内のＲＯＭに記憶されたピッチムラ補正テーブル記憶プログラムが読み出されて制御部３内のＲＡＭに適宜展開されて、制御部３内のＣＰＵとピッチムラ補正テーブル記憶プログラムとの協働によりピッチムラ補正テーブル記憶処理が実行される。
【００９４】
先ず、ユーザは、第２のテストパターン記録処理により記録された位相及び振幅のテストパターン５０及び６０のフィルムを参照して、目視により最も平滑な濃度の分割領域５１及び６１の補正パラメータ５２及び６２を選択する。そして、ユーザにより選択入力される、最も平滑な濃度の位相及び振幅の補正パラメータが補正パラメータ入力部４を介して受け付けられる（ステップＳ４１）。最も平滑な濃度の位相及び振幅の補正パラメータは、左領域、中央領域、右領域ごとに入力されてもよい。この場合、左領域、中央領域、右領域ごとにピッチムラ補正テーブルが作成され、領域ごとにより正確な補正が可能となる。
【００９５】
そして、補正テーブル算出部５により、ステップＳ４１において入力された位相及び振幅の補正パラメータに基づいて、補正関数が選択されて設定される（ステップＳ４２）。そして、ステップＳ４２において設定された補正関数がピッチムラ補正テーブルとしてデータ記憶部６に記憶され（ステップＳ４３）、ピッチムラ補正テーブル記憶処理が終了される。
【００９６】
ピッチムラ補正テーブル記憶処理の終了後、データ記憶部６に記憶されたピッチムラ補正テーブルは、医用画像記録装置１における医用画像出力の際に読み出されて、画像処理部１１において、ピッチムラ補正テーブルを用いて、Ｉ／Ｆ２から入力された画像データにピッチムラ補正が施され、画像出力部１０により、ピッチムラ補正された画像データがフィルムＦに記録されて画像出力される。
【００９７】
以上、本実施の形態によれば、ユーザがテストパターン５０，６０を目視して容易に最適な補正パラメータを選択入力でき、当該最適な補正パラメータに基づいて最適な位相及び振幅の補正関数を自動的に選択してピッチムラ補正テーブルを自動的に作成及び記憶するので、ユーザの簡便な操作入力により最適なピッチムラ補正テーブルを用いて医用画像を高精度にピッチムラ補正してフィルムＦに画像記録することができる。
【００９８】
また、フィルムＦ上のテストパターン５０，６０に分割領域５１，６１を区切る枠５３，６３が記録されるので、枠５３，６３で区切られた最適な分割領域の補正パラメータをユーザが容易に選択でき、ピッチムラ補正の補正精度をより向上することができる。
【００９９】
（変形例）
図２０を参照して、第１及び第２の実施の形態の変形例を説明する。図２０に、補正テーブル記憶処理を示す。上記第１及び第２の実施の形態では、シェーディング補正用又はピッチムラ補正用の補正テーブルを作成及び記憶する構成であったが、本変形例においては、シェーディング補正及びピッチムラ補正用の補正テーブルを作成及び記憶する構成である。また、本変形例の装置構成は、第１の実施の形態と同様である。
【０１００】
次に、図２０を参照して、医用画像記録装置１の動作を説明する。図２０を参照して、シェーディング補正及びピッチムラ補正に使用する補正テーブルを作成及び記憶する補正テーブル記憶処理を説明する。予め、第１の実施の形態の第１のテストパターン記録処理と、第２の実施の形態の第２のテストパターン記録処理とが実行されているものとする。
【０１０１】
例えば、補正パラメータ入力部４を介して補正テーブル作成指示が入力されたことをトリガとして、制御部３内のＲＯＭに記憶された補正テーブル記憶プログラムが読み出されて制御部３内のＲＡＭに適宜展開されて、制御部３内のＣＰＵと補正テーブル記憶プログラムとの協働により補正テーブル記憶処理が実行される。
【０１０２】
先ず、シェーディング補正テーブル記憶処理のステップＳ２１と同様に、補正テーブル算出部５により、主走査方向のアドレスと、サブアドレスとが算出される（ステップＳ５１）。そして、ユーザは、第１のテストパターン記録処理により記録されたテストパターン３０のフィルムＦを参照して、目視により最も平滑な濃度の分割領域３１の補正パラメータ３２を選択する。そして、シェーディング補正テーブル記憶処理のステップＳ２２と同様に、ユーザにより選択入力される、最も平滑な濃度の補正パラメータが、シェーディング補正の補正パラメータとして、補正パラメータ入力部４を介して受け付けられる（ステップＳ５２）。
【０１０３】
そして、ユーザは、第２のテストパターン記録処理により記録された位相及び振幅のテストパターン５０及び６０のフィルムを参照して、目視により最も平滑な濃度の分割領域５１及び６１の補正パラメータ５２及び６２を選択する。そして、ピッチムラ補正テーブル記憶処理のステップＳ４１と同様に、ユーザにより選択入力される、最も平滑な濃度の位相及び振幅の補正パラメータが、ピッチムラ補正用の補正パラメータとして、補正パラメータ入力部４を介して受け付けられる（ステップＳ５３）。
【０１０４】
そして、ピッチムラ補正テーブル記憶処理のステップＳ４２と同様に、補正テーブル算出部５により、ステップＳ５３において入力された位相及び振幅の補正パラメータに基づいて、補正関数が選択されて設定される（ステップＳ５４）。そして、全走査線の補正テーブルが完成されたか否かが判別される（ステップＳ５５）。
【０１０５】
全走査線の補正テーブルが完成されていない場合（ステップＳ５５；ＮＯ）、シェーディング補正テーブル記憶処理のステップＳ２３と同様に、補正テーブル算出部５により、ステップＳ５２において入力されたシェーディング補正の補正パラメータと、ステップＳ５４において入力された補正関数とに基づいて、未選択の１走査線のサブアドレスの補正量が算出され、アドレスの補正量が算出される（ステップＳ５６）。そして、シェーディング補正テーブル記憶処理のステップＳ２４と同様に、ステップＳ５６において算出された補正量による１走査線の補正テーブルがデータ記憶部６に記憶され（ステップＳ５７）、ステップＳ５５に移行される。
【０１０６】
全走査線の補正テーブルが完成された場合（ステップＳ５５；ＹＥＳ）、ステップＳ５７において記憶された各走査線の補正テーブルがまとめられて、全走査線の補正テーブルとしてデータ記憶部６に記憶され（ステップＳ５８）、補正テーブル記憶処理が終了される。
【０１０７】
以上、本変形例によれば、ユーザがテストパターン３０，５０，６０を目視して容易に最適な補正パラメータを選択入力でき、当該最適な補正パラメータに基づいて最適なシェーディング補正及びピッチムラ補正の補正テーブルを自動的に作成及び記憶するので、ユーザの簡便な操作入力により最適な補正テーブルを用いて医用画像を高精度にシェーディング補正及びピッチムラ補正してフィルムＦに画像記録することができる。
【０１０８】
なお、上記各実施の形態及び変形例において、データ記憶部６に記憶されているシェーディング補正テーブル、ピッチムラ補正テーブルを画像処理部１１に出力して、画像処理部１１において、当該補正テーブルを用いて画像データをソフトウェア的に補正する構成としたが、これに限るものではない。例えば、データ記憶部６に記憶されているシェーディング補正テーブル、ピッチムラ補正テーブルを露光部１３に出力し、当該補正テーブルを変調部１３１におけるレーザ光の発光強度制御信号に反映させる構成としてもよい。この場合、画像データの全画素に対する補正処理演算を行うことなく、ソフトウェア的な演算処理負担が軽減される。
【０１０９】
また、上記各実施の形態及び変形例において、テストパターン３０，５０，６０は、略均一濃度の各分割領域３１，５１，６１が枠３３，５３，６３により区切られて記録する構成としたが、これに限るものではない。分割領域を特定する目印として、形状は問わず、例えば、文字、印なども用いることができる。
【０１１０】
また、上記各実施の形態及び変形例においては、レーザを用いて熱現像処理が必要な光熱銀塩方式の医用画像記録装置１を用いたが、これに限るものではない。例えば、サーマルヘッド方式などの医用画像記録装置に適用することも可能である。また、医用画像記録装置として、湿式処理を必要とする銀塩記録方式の画像記録装置や、ヒートモードレーザを用いる感熱記録装置や、感光感熱記録材料を用いて画像記録する画像記録装置を用いる構成としてもよい。
【０１１１】
また、上記各実施の形態及び変形例において、略均一濃度画像としての分割領域、いわゆる「ベタ画像」の記録サイズの大小は問わない。また、上記各実施の形態及び変形例において、フィルムＦに記録するテストパターン３０，５０，６０の分割領域を、主走査方向に、左領域、中央領域、右端部の３つに分割したが、この主走査方向の分割数に限るものではない。主走査方向の分割数は、多くすればするほどより正確に補正をすることができるが、各種処理が複雑になるので、これらの平衡をとることが好ましい。また、シェーディング補正においては、中央領域が補正量が最も少なくなり補正量の基準とすることが容易であるので、主走査方向の分割数を奇数にすることが好ましい。
【０１１２】
また、第１の実施の形態において、図９（ｂ）に示すように、サブアドレスに対応するシェーディング補正テーブルを作成したが、これに限るものではない。例えば、サブアドレスに対応するシェーディング補正テーブルの作成工程を省略し、図９（ａ）から図９（ｃ）に移行される構成としてもよい。
【０１１３】
また、第２の実施の形態において、振幅補正パラメータ及び位相補正パラメータのうちの少なくとも１つに基づいて、ピッチムラ補正テーブルの作成及び記憶を行い、振幅及び位相のうちの少なくとも１つに対応してピッチムラ補正を行う構成としてもよい。また、上記各実施の形態及び変形例において、補正テーブルは、記録媒体サイズ及び記録ピッチサイズのうちの少なくとも１つごとに作成及び記憶される構成としてもよい。
【０１１４】
その他、上記各実施の形態及び変形例における医用画像記録装置１の各構成要素の細部構成、及び細部動作に関しては、本発明の趣旨を逸脱することのない範囲で適宜変更可能であることは勿論である。
【図面の簡単な説明】
【０１１５】
【図１】本発明に係る第１の実施の形態の医用画像記録装置１の内部構成を示すブロック図である。
【図２】露光部１３の内部構成を示す図である。
【図３】シェーディング補正テーブルの一例を示す図である。
【図４】第１のテストパターン記録処理を示すフローチャートである。
【図５】補正パラメータに対する補正量の関係の一例を示す図である。
【図６】シェーディング補正のテストパターンの出力例を示す図である。
【図７】シェーディング補正テーブル記憶処理を示すフローチャートである。
【図８】フィルムＦ上に記録する画素のサブアドレスを示す図である。（ａ）はフィルムＦ上に記録するサブアドレスごとの画素を示す図である。（ｂ）は画素のアドレスとサブアドレスとの対応を示す図である。
【図９】Ｘ軸に対する補正量の関係を示す図である。（ａ）は補正パラメータに対応する補正量を示す図である。（ｂ）はサブアドレスに対応する補正量を示す図である。（ｃ）はアドレスに対応する補正量を示す図である。
【図１０】アドレス及びサブアドレスの対応関係の一例を示す図である。
【図１１】Ｙ軸アドレスを示す図である。
【図１２】ピッチムラ補正テーブルの一例を示す図である。
【図１３】第２のテストパターン記録処理を示すフローチャートである。
【図１４】位相補正パラメータに対する位相の関係の一例を示す図である。
【図１５】ピッチムラ補正のテストパターンの出力例を示す図である。
【図１６】位相補正パラメータごとの補正関数を示す図である。（ａ）は位相補正パラメータ０の補正関数を示す図である。（ｂ）は位相補正パラメータ−１の補正関数を示す図である。（ｃ）は位相補正パラメータ−２の補正関数を示す図である。
【図１７】振幅補正パラメータに対する補正量の関係の一例を示す図である。
【図１８】振幅補正パラメータごとの補正関数を示す図である。（ａ）は振幅補正パラメータ０の補正関数を示す図である。（ｂ）は振幅補正パラメータ＋１の補正関数を示す図である。（ｃ）は振幅補正パラメータ＋２の補正関数を示す図である。
【図１９】ピッチムラ補正テーブル記憶処理を示すフローチャートである。
【図２０】補正テーブル記憶処理を示すフローチャートである。
【図２１】Ｘ軸に対する露光量のムラの例を示す図である。
【図２２】Ｙ軸に対する露光量のムラの例を示す図である。
【符号の説明】
【０１１６】
１  医用画像記録装置
２  Ｉ／Ｆ
３  制御部
４  補正パラメータ入力部
５  補正テーブル算出部
６  データ記憶部
７  フィルム搬送部
１０  画像出力部
１１  画像処理部
１２  Ｄ／Ａ変換部
１３  露光部
１３１  変調部
１３２  レーザ光源部
１３３  集光レンズ
１３４  シリンドリカルレンズ
１３５  回転多面鏡
１３６  ｆθレンズ
１３７  ミラー
１４  熱現像部
２０  モダリティ
Ｌ  レーザ光
Ｆ  フィルム
【図１】
2005313361.tif 000003
【図２】
2005313361.tif 000004
【図３】
2005313361.tif 000005
【図４】
2005313361.tif 000006
【図５】
2005313361.tif 000007
【図６】
2005313361.tif 000008
【図７】
2005313361.tif 000009
【図８】
2005313361.tif 000010
【図９】
2005313361.tif 000011
【図１０】
2005313361.tif 000012
【図１１】
2005313361.tif 000013
【図１２】
2005313361.tif 000014
【図１３】
2005313361.tif 000015
【図１４】
2005313361.tif 000016
【図１５】
2005313361.tif 000017
【図１６】
2005313361.tif 000018
【図１７】
2005313361.tif 000019
【図１８】
2005313361.tif 000020
【図１９】
2005313361.tif 000021
【図２０】
2005313361.tif 000022
【図２１】
2005313361.tif 000023
【図２２】
2005313361.tif 000024